(57)【要約】個体群に基づく患者記録の分析システム及び方法。この方法は、対象となる疾患に関するドメイン知識ベースを用いて複数の患者記録をデータマイニングし、データマイニングされたデータを編集して複数の構造化患者記録を形成し、対象となる疾患に関する少なくとも１つの患者基準を入力し、少なくとも１つの患者基準にマッチする少なくとも１つの構造化患者記録を抽出するステップを含む。このシステムは、対象となる疾患に関するドメイン知識ベースを用いて複数の患者記録から情報をマイニングし、マイニングされた結果を編集して複数の構造化患者記録を形成するためのデータマイナーと、対象となる疾患に関する少なくとも１つの患者基準を入力するためのインターフェイスと、少なくとも１つの患者基準にマッチする構造化患者記録のうちの少なくとも１つの記録を抽出するように構成されたプロセッサとより成る。
2005508544.tif 000002
【特許請求の範囲】
【請求項１】
患者記録の分析方法であって、
対象となる疾患に関するドメイン知識ベースを用いて複数の患者記録をデータマイニングし、
データマイニングされたデータを編集して複数の構造化患者記録を形成し、
対象となる疾患に関する少なくとも１つの患者基準を入力し、
少なくとも１つの患者基準にマッチする少なくとも１つの構造化患者記録を抽出するステップよりなる患者記録の分析方法。
【請求項２】
少なくとも１つの構造化患者記録の結果を突き止めるステップをさらに含む請求項１の方法。
【請求項３】
少なくとも１つの患者基準の値を変化させ、抽出ステップ及び結果を突き止めるステップを反復するステップをさらに含む請求項２の方法。
【請求項４】
複数の患者記録は構造化及び非構造化ソースに蓄積される請求項１の方法。
【請求項５】
複数の患者記録は複数の患者の治療の過程で収集される請求項１の方法。
【請求項６】
複数の基準と複数の患者の結果とを相関させるステップを含む請求項２の方法。
【請求項７】
相関に基づき治験の仮説を提案するステップをさらに含む請求項６の方法。
【請求項８】
複数の構造化患者記録について遡及的検討を行うことにより仮説を検証するステップをさらに含む請求項７の方法。
【請求項９】
構造化及び非構造化ソースに蓄積される複数の患者記録の分析システムであって、
対象となる疾患に関するドメイン知識ベースを用いて複数の患者記録から情報をマイニングし、マイニングされた結果を編集して複数の構造化患者記録を形成するためのデータマイナーと、
対象となる疾患に関する少なくとも１つの患者基準を入力するためのインターフェイスと、
少なくとも１つの患者基準にマッチする構造化患者記録のうちの少なくとも１つの記録を抽出するように構成されたプロセッサとより成る分析システム。
【請求項１０】
複数の構造化患者記録を蓄積するためのデータベースをさらに備えた請求項９のシステム。
【請求項１１】
プロセッサはさらに、少なくとも１つの構造化患者記録の患者の結果を突き止めるように構成されている請求項９のシステム。
【請求項１２】
プロセッサはさらに、複数の基準と複数の患者の結果とを相関させるように構成されている請求項１１のシステム。
【請求項１３】
プロセッサはさらに、相関に基づき治験の仮説を提案するように構成されている請求項１２のシステム。
【請求項１４】
複数の患者記録につき遡及的検討を行う方法であって、
対象となる疾患に関するドメイン知識ベースを用いて複数の患者記録をデータマイニングし、
データマイニングされたデータを編集して複数の構造化記録を形成し、
対象となる疾患に関する仮説を形成する複数の患者基準を入力し、
複数の患者基準にマッチする複数の構造化患者記録を抽出するステップより成る遡及的検討方法。
【請求項１５】
複数の構造化患者記録から患者の結果を突き止めるステップをさらに含む請求項１４の方法。
【請求項１６】
患者の結果と提案された結果とを比較して仮説を検証するステップをさらに含む請求項１５の方法。
【請求項１７】
患者記録を分析する方法ステップを実行するためにマシーン上で実行可能な命令のプログラムを含み、そのマシーンにより読み取り可能なプログラムの記憶装置であって、それらの方法ステップは、
対象となる疾患に関するドメイン知識ベースを用いて複数の患者記録をデータマイニングし、
データマイニングされたデータを編集して複数の構造化記録を形成し、
対象となる疾患に関する仮説を形成する複数の患者基準を入力し、
複数の患者基準にマッチする複数の構造化患者記録を抽出するステップより成る記憶装置。
【請求項１８】
方法ステップが少なくとも１つの構造化患者記録の結果を突き止めるステップをさらに含む請求項１７のプログラム記憶装置。
【請求項１９】
方法ステップが少なくとも１つの患者基準の値を変化させ、抽出ステップ及び結果を突き止めるステップを反復するステップをさらに含む請求項１８のプログラム記憶装置。
【請求項２０】
複数の患者記録は構造化及び非構造化ソースに蓄積される請求項１７のプログラム記憶装置。
【発明の詳細な説明】
【技術分野】
【０００１】
本発明は、医療情報処理システムに関し、さらに詳細には、種々のソースから導出される個体群に基づく情報について患者の結果を分析し、個体群に基づく情報について遡及的検討を行うためのコンピュータ化されたシステム及び方法に関する。
【背景技術】
【０００２】
患者に適切なケアを提供することは、彼らの医学的状態を最適化するために非常に重要である。通常、特定の容態／病気を有する患者は確立された治療ガイドラインに従って薬剤を処方されるか治療を施される。治療ガイドラインは、とりわけ、特定の薬剤投与量、投与頻度、投与の仕方についての指示、及び治療の時間について略説したものである。新しい患者に対する治療は、治療ガイドラインに沿ってほとんど一様に直接実施されることが多い。これらのガイドラインは通常、将来に向けての医学的研究から導き出されるものである。将来の向けての医学的研究、即ち、ランダム化された治験は、研究者が患者個体群を判別することにより理想に近い状態で仮説を実験的にテストする研究であり、患者のケアがガイドラインに忠実に従うように、また全ての関連データが記録されるようにする。かかるやり方は歴史的な医学データを完全に利用せず、むしろ、治療ガイドラインに頑固に固執した患者の成功率だけをあてにする。さらに、治験は非常に費用のかかるものである。
【０００３】
歴史的な医学データは、患者のケアプロセス及び医学的な結果の分析にあたり価値ある情報源を提供する。上述したように、治療ガイドラインは、それに頑固に固執した患者についての治療結果だけに基づき作成されている。しかしながら、患者のケアの結果にインパクトを与える患者及び専門医による医学的ケアに起因する変量は非常に数が多い。さらに、これらの変量間の関係は事実上知られていない。従って、過去の医学的データから完全に学ぶことができれば、患者のヘルスケアを大きく改善できるであろう。
【０００４】
遡及的研究（例えば、病院からの患者の歴史的医療記録の分析は、将来に向けての治験と相い補うものである。ヘルスケア機関は、知識管理のための非常に重要なツールである膨大な量の患者データを蓄積している。この既に収集された情報を分析すると、将来の治験において後で検証可能な洞察に結び付くことがあるかもしれない。最も重要なことは、遡及的研究は少なくとも２つの方法で、現実の臨床設定におけるガイドラインのインパクトを測定できることである。先ず第１に、遡及的研究は、治験除外されていた患者個体群に対する治療の有効性を判断できる。例えば、６５歳以上の患者または他の病気を持つ患者が治験から除外される場合があるが、その治験により有効とされたガイドラインは病院の全ての患者の治療に現在使用される。第２に、病院の患者の治療は治験とは異なる場合がある。例えば、結腸がんのガイドラインは、手術から６週間以内に化学療法を開始することを命じているが、これは治験では厳格に実行される。しかしながら、病院では、一部の患者に手術後最長１０週間で化学療法を開始する場合がある（例えば、病気が重いかまたは予約時間を守れない場合）。患者の結果に対するこの遅延の影響は遡及的分析により判定できるに過ぎないが、その訳は、受け入れられているケアの標準を事実上差し控えてこの遅延の影響をテストする治験を行うことは非倫理的であるからである。
【０００５】
しかしながら、病院データを分析するのは多くの理由により容易でない。先ず第１に、医学的データは構造的に内容が濃いため分析すると非常に複雑である。伝統的な統計処理方法の多くは、構造化されたデータ、時系列事象（医学データは重要な時間的成分を有する）及び／またはフリーテキスト、画像などのような構造化されていないデータには不向きである。第２に、病院の患者データは、患者の治療を目的として収集されたものであるため（治験における分析を目的としたものではない）、多くの点で不完全である。例えば、データの所在が明確でないか、不正確か、一貫性がないか、重要な結果／変量が記録されていないか、データの収集に偏りがあるか、例えば、病気の患者が元気な患者よりも多くのテストを受けるか（これは医学的な観点から見ると全く当然であるが、多数のアルゴリズムに問題を生ぜしめる固有の仮定を有する）、収集された変量／治療が経時的に変化し、これが特に治療が何十年にもわたる一部の長期疾患に特に影響を与えることがある。最後に、医療専門家の間には治療法に大きな違いがあるため、患者がガイドラインに則って、適切な治療を受けているかは判断するのは困難である。
【０００６】
上記に鑑みて、多種多様なソースから個体群に基づく患者情報を収集し、収集した情報について結果を分析し、種々のソースから導出した多量の医学的情報を迅速に遡及分析する技術の必要性が存在する。
【発明の概要】
【０００７】
本発明は、個体群に基づく患者情報の分析システム及び方法を提供する。
【０００８】
本発明の１つの局面によると、対象となる疾患に関するドメイン知識ベースを用いて複数の患者記録をデータマイニングし、データマイニングされたデータを編集して複数の構造化患者記録を形成し、対象となる疾患に関する少なくとも１つの患者基準を入力し、少なくとも１つの患者基準にマッチする少なくとも１つの構造化患者記録を抽出するステップを含む患者記録の分析方法が提供される。
【０００９】
本発明の別の局面によると、対象となる疾患に関するドメイン知識ベースを用いて複数の患者記録から情報をマイニングし、マイニングされた結果を編集して複数の構造化患者記録を形成するためのデータマイナーと、対象となる疾患に関する少なくとも１つの患者基準を入力するためのインターフェイスと、少なくとも１つの患者基準にマッチする構造化患者記録のうちの少なくとも１つの記録を抽出するように構成されたプロセッサとより成る複数の患者記録の分析システムが提供される。
【００１０】
本発明のさらに別の局面では、複数の患者記録について遡及的検討を行う方法が提供される。この方法は、対象となる疾患に関するドメイン知識ベースを用いて複数の患者記録をデータマイニングし、データマイニングされたデータを編集して複数の構造化記録を形成し、対象となる疾患に関する仮説を形成する複数の患者基準を入力し、複数の患者基準にマッチする複数の構造化患者記録を抽出するステップを含む。この方法はさらに、複数の構造化患者記録から患者の結果を突き止めるステップを含む。
【００１１】
本発明の別の局面では、患者記録を分析する方法ステップを実行するためにマシーン上で実行可能な命令のプログラムを含み、そのマシーンにより読み取り可能なプログラムの記憶装置であって、それらの方法ステップは、対象となる疾患に関するドメイン知識ベースを用いて複数の患者記録をデータマイニングし、データマイニングされたデータを編集して複数の構造化記録を形成し、対象となる疾患に関する仮説を形成する複数の患者基準を入力し、複数の患者基準にマッチする複数の構造化患者記録を抽出するステップより成る記憶装置が提供される。
【実施例】
【００１２】
本発明の明確な理解に資するために、本発明のある特定の局面を説明する実施例が提供される。しかしながら、これらの例には本発明の範囲を限定する意図はなく、本発明のある特定の思想を説明するためのものであることを理解されたい。
【００１３】
本発明は、個体群に基づく医療データの分析システム及び方法を提供する。本発明の一実施例によると、コンピュータを利用するシステムは、種々のソース、例えば、構造化及び非構造化情報ソース、からの個体群に基づく患者データを、後で分析するために、構造化データベースに編集する。先ず第１に、このシステムは、例えば、経理情報のような構造化情報ソースと、例えば、画像のような非構造化情報ソースの両方からの情報をコンピュータ化患者記録（ＣＰＲ）内に同化する。これらのデータは、意味ある形で自動的に抽出、結合、分析することができる。
【００１４】
本発明は、医療専門家が各記録をチェックして彼らの所見を作成する伝統的な方法とは異なり、大量の情報を迅速に分析するのを可能にする。情報は特定の患者に関する種々の情報を含む種々のソースから収集されるため、種々の基準または変量を分析して、提案される治療またはガイドラインへのそれらの影響を測ることができる。
【００１５】
本発明は、ハードウェア、ソフトウェア、ファームウェア、特定目的プロセッサまたはこれらの組み合わせを含む種々の形態で実施できることを理解されたい。本発明は、プログラム記憶装置に記憶されたプログラムとしてのソフトウェアで実現するのが好ましい。そのプログラムは任意適当なアーキテクチャーを有するマシーンにアップロードされ、それにより実行される。そのマシーンは、１またはそれ以上の中央処理ユニット（ＣＰＵ）、ランダムアクセスメモリ（ＲＡＭ）及び入出力（Ｉ／Ｏ）インターフェイスのようなハードウェアを備えたコンピュータプラットフォーム上で実現するのが好ましい。コンピュータプラットフォームはまた、オペレーティングシステム及びマイクロ命令コードを有する。本明細書で説明する種々のプロセス及び機能は、オペレーティングシステムにより実行されるマイクロ命令コードの一部またはプログラム（もしくはその組み合わせ）の一部でよい。さらに、別のデータ記憶装置及びプリンタのような他の種々の端末装置をコンピュータプラットフォームに接続することができる。
【００１６】
添付図面に示すシステムの構成要素及び方法ステップの一部はソフトウェアでの実現が好ましいため、システムコンポーネント（またはプロセスステップ）間の実際の接続は本発明がプログラムされる態様により異なることを理解されたい。
【００１７】
図１は、本発明の一実施例に従って本発明が実現されるコンピュータ処理システム１００のブロック図である。このシステム１００は、少なくとも１つのプロセッサ（以下、プロセッサと呼ぶ）１０２がシステムバス１０４を介して他のコンポーネントに作動的に結合されたものである。システムバス１０４には、リードオンリーメモリ（ＲＯＭ）１０６、ランダムアクセスメモリ（ＲＡＭ）１０８、入出力インターフェイス１１０、ネットワークインターフェイス１１２及び外部記憶装置１１４が作動的に結合されている。ディスプレイ装置、ディスク記憶装置（例えば、磁気または光記憶装置）、キーボード及びマウスのような種々の周辺装置を、Ｉ／Ｏインターフェイスまたはネットワークインターフェイス１１２を介してシステムバス１０４に作動的に結合することが可能である。
【００１８】
コンピュータシステム１００は、スタンドアロンのシステムかまたはネットワークインターフェイス１１２を介してネットワークにリンクされたシステムである。ネットワークインターフェイス１１２はハードワイヤー接続のインターフェイスでもよい。しかしながら、種々の実施例において、ネットワークインターフェイス１１２は、汎用非同期送受信器（ＵＡＲＴ）、並列デジタルインターフェイス、ソフトウェアインターフェイス、または公知か今後開発されるソフトウェアおよびハードウェアの任意の組み合わせのような、情報を他の装置へ送るか受けるに適した任意の装置を備えることができる。ネットワークインターフェイスは、ローカルエリアネットワーク（ＬＡＮ）、ワイドエリアネットワーク（ＷＡＮ）、イントラネット、仮想私設ネットワーク（ＶＰＮ）及びインターネットを含む種々のタイプのネットワークにリンクすることができる。
【００１９】
外部記憶装置１１４は、プロセッサ１０２により管理されハードディスクのようなメモリ上に常駐するデータベースマネジメントシステム（ＤＢＭＳ）を用いて実現することができる。しかしながら、外部記憶装置１１４は１またはそれ以上のコンピュータシステム上で実現可能なことを理解されたい。例えば、外部記憶装置１１４は別個のコンピュータシステム上に常駐するデータウェアハウスシステムを含むようにしてもよい。
【００２０】
当業者は、本発明の思想及び範囲から逸脱することなく他のコンピュータ環境を利用できることがわかるであろう。
【００２１】
ヘルスケア提供者による、情報の蓄積及び検索のための自動化技術の利用が増加している。患者情報を維持するためのコンピュータ化された患者記録（ＣＰＲ）の利用はその一例である。図２に示すように、ＣＰＲ（２００）の一例は、患者の治療の過程で収集される情報を含む。この情報は、例えば、コンピュータ断層撮影（ＣＴ）画像、エックス線画像、検査室の検査結果、医師経過メモ、医療処置の詳細、投薬情報、放射線レポート、他の専門医のレポート、人口統計的情報及び請求書作成（経理）情報を含む。
【００２２】
ＣＰＲは一般的に複数のデータソースを含み、各データソースは通常、患者ケアの異なる局面を反映する。経理、検査室及び薬局データベースのような構造化されたデータソースは、一般的に、データベースの表に患者情報を維持する。例えば、フリーテキスト、画像及び波形のような情報も、非構造化データソースとして蓄積可能である。重要な臨床所見は医師のレポート中だけに蓄積されることが多い。
【００２３】
図３は、本願の一部として全体を引用する、本願と共に係属中の米国特許出願（発明者：Rao et al.；発明の名称：患者データマイニング；弁護士事件番号第８７０６−６００号）に記載されたデータマイニング技術を用いて高品質の構造化臨床情報をマイニングするためのデータマイニングシステムの一例を示す。データマイニングシステムは、知識ベース（３３０）に含まれるドメインに特定の知識を用いてＣＰＲ（３１０）から情報をマイニングするデータマイナー（３５０）を有する。データマイナー（３５０）は、ＣＰＲから情報を抽出するコンポーネント（３５２）、利用可能な証拠を全て原理原則に則って経時的に結合するコンポーネント（３５４）、及びこの結合プロセスから推論を導き出すコンポーネント（３５６）を含む。マイニングされた情報は構造化ＣＰＲ３８０に蓄積される。このようにして、ＣＰＲに含まれる情報は、それが構造化データソースからのものであれ、また非構造化データソースからのものであれ、構造化された形で蓄積される。
【００２４】
抽出コンポーネント（３５２）は患者に関する断片情報を各データソースから拾い集める仕事をするが、これらの情報は特定の時点におけるその患者についての確率論的表明として表される。これらの確率論的表明を「エレメント」と呼ぶ。結合コンポーネント（３５４）は、同一期間において同一変量に言及する全てのエレメントを結合してその変量に関する１つの統合された確率論的表明を形成する。これらを統合された確率論的表明を「ファクトイド」と呼ぶ。推論コンポーネント（３５６）は、これらのフォクトイドを同一時点においてそして／または異なる時点において結合することにより、患者の状態の経過を経時的に示す首尾一貫した簡潔な描写を形成する。患者の状態のこの経過を「状態シーケンス」と呼ぶ。
【００２５】
本発明は、患者の状態の独立したモデルを形成することができる。患者の状態は、その患者につき気になる変量を収集したものにすぎない。興味ある情報には、状態シーケンス、即ち、患者の治療過程の異なる時点における患者の状態の値が含まれる。
【００２６】
上記コンポーネントはそれぞれ、例えば、興味ある疾患のような対象となるドメインに関する詳細な知識を使用する。このドメイン知識ベース（３３０）には２つの形態がある。ドメイン知識ベースは、システムの入力として、あるいはシステムが理解できる情報を発生するプログラムとして符号化することができる。システムの現在の形態へ入力されるドメイン知識ベース（３３０）の部分は、データから学習することも可能である。
【００２７】
上述したように、抽出コンポーネント（３５２）は、ＣＰＲ（３１０）から情報を抽出して、ある時点またはある期間に関するその患者についての確率論的表明（エレメント）を作成する。このプロセスは、ドメイン知識ベース（３３０）に含まれるドメイン知識のガイダンスにより実行される。抽出に必要なドメイン知識は、一般的に、各ソースに特有である。
【００２８】
図４を参照して、該図は本発明の一実施例による分析システム４００を示す。この分析システム４００は、構造化データベース３８０から情報を抽出し、抽出された情報に対して種々のタスクを施すためのプロセッサ４０２を有する。このプロセッサ４０２は、機械によらずに入力された患者基準または変量４１０をＩ／Ｏインターフェイスを介して受けるように構成されており、これらの基準または変量はデータベース３８０から特定の情報を抽出するために使用される。分析システム２００が実行する各タスクは、システム４０２のプロセッサ及び／またはシステムの記憶装置（例えば、ＲＡＭ、ＲＯＭ、外部記憶装置など）の何れかに常駐する実行可能なモジュールにより実行される。
【００２９】
図５を参照して、該図は個体群に基づくデータの分析方法を示すフローチャートである。例えば、心筋梗塞になった糖尿病患者における不満足な結果の問題（例えば、臨床的、金銭的及び入院の長さ）を特定の病院について調べることができる。
【００３０】
まず第１に、例えば、特定の病院において、多数の患者の治療の過程で複数のコンピュータ化患者記録が収集される。この歴史的データは対象と成る疾患に関するドメイン知識ベースを用いてデータマイニングされ、構造化ＣＰＲデータベースに編集される（ステップ５０２）。例えば、診断の結果、急性心筋梗塞（ＡＭＩ）が確認された患者を識別するために種々のソースから情報が抽出される。これはＩＣＤ−９コード（約９０％の精度）に基づかず、ＡＭＩ患者を識別するために国際的に認められた標準であるＭＯＮＩＣＡ基準を満足する臨床所見、検査室所見及びＥＫＧ所見の組み合わせに基づき決定される。
【００３１】
対象となる疾患に関する１またはそれ以上の基準または変量が、システムに入力される（ステップ５０４）。このシステムは、基準に合致する患者記録を構造化データベースから抽出する（ステップ５０６）。例えば、ＡＭＩ患者が同定されると、システムはインシュリンまたは他の抗糖尿病性薬剤の投与の必要性を示す薬局データ及び高い血糖値を示す検査室データに基づき真性糖尿病（例えば、基準）の患者の部分集合を分離する。
【００３２】
その後、システムは、抽出された患者記録について患者の結果をチェックし（ステップ５０８）、その結果を出力する。その基準の値の変化がいかに結果に影響を与えるかを知るために、患者基準の少なくとも１つを値を変化させてもよい（ステップ５１０）。最後に、システムは、適当な医療要員が検討できるように結果を編集して出力する（ステップ５１２）。システムは、臨床結果、例えば死亡、手術（冠状動脈バイパスまたは血管形成）、感染などの違いを識別し、これらの結果を関連の経理データ、ケースミックスデータ、治療データ、治療データ及び入院期間データの文脈中に含める。出力はチャート、表、曲線の形式でよく、基準の変更が患者の結果に与える影響を示す。
【００３３】
別の実施例において、本発明のシステム及び方法は特定の患者につき結果を分析する。例えば、医師は患者のコレステロールレベルを下げるための最良の処方薬を知りたいとする。システムは、コレステロールレベルが所定の限界値、例えば２５０を超える患者の患者記録を抽出する。医師は患者の現在の状態、例えば、年齢、血圧、ＬＤＬコレステロール、ＨＤＬコレステロールなどに関する基準または変量４１４を入力する。その後、プロセッサ４０２は構造化ＣＰＲデータベース３８０と相互作用して、現在の患者の基準にマッチする患者記録を抽出し、抽出された記録における患者の結果と薬剤治療との関係を出力する。医師は、１またはそれ以上の基準または変量の値を変化させることにより、例えば、異なる薬剤を用いたり、患者の喫煙習慣などを変化させて、その変化により結果が如何なる影響を受けるかをチェックすることがある。システムは、変量の新しい集合に基づく患者の結果を反映するように新しい患者記録を抽出する。システムは、多量の記録から様々な基準に基づき様々な患者記録を抽出できるため、同様な情報を有する患者記録を機械によらずに検索しようとする従来の方法と比べて格段に迅速に結果の分析を行うことができる。
【００３４】
さらに、システムは、入力された基準と突き止められる結果とを相関させることにより将来に向けての治験の仮説を作成するためにも使用することができる。
【００３５】
別の実施例において、本発明のシステム及び方法は遡及的検討を行うために使用できる。将来に向けての治験の間、例えば、年齢が２５乃至４０歳の男性のような特定グループが、特定の疾患の治療に最適なガイドラインを決定するために観察される場合がある。その治験に基づいて作成されたガイドラインは、後で、さらに治験を行うことなく全ての年齢グループに適用される。本発明のシステム及び方法は、その治験から除外された人に対する検討を、実際の治験により作成されたガイドラインにマッチするが、例えば、４０−５０歳の女性という入力された患者基準により限定される患者記録を抽出することにより行えるようにする。本発明のシステム及び方法は、多量の記録を機械によらずに検討しなくても大きい個体群について遡及的検討を行うのを可能にする。
【００３６】
さらに、遡及的検討は、入力された基準と突き止めた患者の結果とを相関させた後、突き止めた患者の結果を仮説の提案された患者の結果と比較して、その仮説の有効性を検証するために行うこともできる。
【００３７】
本発明の分析システム及び方法は、種々のソース、即ち、構造化及び非構造化データソースから収集した多量のデータの効率的且つ迅速な分析を可能にする。この方法及びシステムは、医療専門家が個体群に基づく患者情報、例えば、病院により治療を受ける大量の患者について患者の結果を分析し、最も適当な治療法を突き止めるのを可能にして、ケアの質を向上させる。さらに、本発明のシステム及び方法は、従来の個別的なチェック及び分析とは異なり多種多様なソースからのデータをマイニングすることにより遡及的検討を自動化するため、研究者及び病院のコストを減少させる。
【００３８】
本発明の実施例を添付図面を参照して説明したが、本発明はそれらの実施例に限定されず、本発明の範囲または思想から逸脱することなく当業者により他の実施例または変形例が想到されることを理解されたい。
【図面の簡単な説明】
【００３９】
【図１】本発明の一実施例に使用するコンピュータ処理システムのブロック図である。
【図２】コンピュータ化された患者記録（ＣＰＲ）の一例である。
【図３】高品質の構造化医療情報をマイニングするためのデータフレームワークの一例である。
【図４】一実施例による分析システムのブロック図である。
【図５】本発明の一実施例に従って大量の医療情報を分析する流れ図である。
【図１】
2005508544.tif 000003
【図２】
2005508544.tif 000004
【図３】
2005508544.tif 000005
【図４】
2005508544.tif 000006
【図５】
2005508544.tif 000007
【国際公開パンフレット】
2005508544.tif 000008
2005508544.tif 000009
2005508544.tif 000010
2005508544.tif 000011
2005508544.tif 000012
2005508544.tif 000013
2005508544.tif 000014
2005508544.tif 000015
2005508544.tif 000016
2005508544.tif 000017
2005508544.tif 000018
2005508544.tif 000019
2005508544.tif 000020
2005508544.tif 000021
2005508544.tif 000022
2005508544.tif 000023
2005508544.tif 000024
2005508544.tif 000025
2005508544.tif 000026
2005508544.tif 000027
2005508544.tif 000028
2005508544.tif 000029
2005508544.tif 000030
2005508544.tif 000031
【国際公開パンフレット（コレクトバージョン）】
2005508544.tif 000032
2005508544.tif 000033
【国際調査報告】
2005508544.tif 000034
2005508544.tif 000035